(57)【特許請求の範囲】
【請求項１】
記録紙に印字をする印字部と、
前記印字部において印字がなされた前記記録紙を搬送するプラテンローラと、
前記印字がなされた記録紙を切断するカッターと、
前記印字部及び前記カッターが設置される本体部と、
前記プラテンローラが設置されており、前記本体部に開閉可能な状態で取り付けられているカバーと、
を有し、
前記カバーには、ロック部材と、スライド可能なロックレバーが設けられており、
前記ロック部材は、断面形状がＬ字状に形成されており、
前記ロック部材の一方の端部近傍には、前記ロックレバーと接触するロック部材接触部を有し、
前記ロック部材の他方の端部近傍には、ロックピンが設けられており、
前記本体部には、前記ロックピンを固定するロックピン固定部が設けられており、
前記カバーが開けられているか閉じられているかに関わらず、前記ロック部材の一方の端部近傍に、前記ロックレバーが接触し続け、
前記カバーが開けられる状態では、前記ロックレバーがスライドして前記ロック部材が前記本体部の外部に突き出し、
前記カバーが閉じている状態では、前記ロックピンが、前記プラテンローラの設けられている側に近づいて、前記本体部に設けられたロックピン固定部に入り込んでいることを特徴とするプリンタ装置。
【請求項２】
前記ロックレバーに力を加えることにより、前記ロック部材がロック部材回転軸を中心に動き、前記ロックピン固定部より前記ロックピンが外れることを特徴とする請求項１に記載のプリンタ装置。
【請求項３】
前記ロックレバーが押されて前記ロック部材が前記ロック部材回転軸を中心に回転する方向とは反対方向に前記カバーが回転して開くことを特徴とする請求項２に記載のプリンタ装置。
【請求項４】
前記カバーには、バネが設けられており、
前記カバーを開けるときに前記ロックレバーを押す方向とは逆方向に前記ロック部材を付勢するバネを有することを特徴とする請求項１から３のいずれかに記載のプリンタ装置。
【請求項５】
前記プラテンローラ近傍には前記記録紙の有無を検出する記録紙検出センサが設けられており、前記記録紙検出センサと前記記録紙との距離を所定の距離にするための記録紙ガイド部が設けられていることを特徴とする請求項１から４のいずれかに記載のプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。このようなレシート等を発行するプリンタは、記録紙となる感熱紙がロール状に巻かれており、記録紙を搬送しながらサーマルヘッド等により記録紙に印字等を行ない、所定の長さまで記録紙を搬送した後、カッターで所定の長さで記録紙を切断するものである。
【０００３】
このように、記録紙をカッターで切断する場合には、固定刃と可動刃を用い、可動刃が可動することにより切断するものと、固定刃のみ設置されており、手で記録紙を引っ張ることにより切断するものとがある。
【先行技術文献】
【特許文献】
【０００４】
【特許文献１】特開２００３−１９８４５号公報
【特許文献２】特開２００７−１３０８４２号公報
【発明の概要】
【発明が解決しようとする課題】
【０００５】
固定刃のみ設置されており、手で引っ張ることにより記録紙を切断するものは、記録紙を切断する部材が固定刃のみであることや、可動刃を可動するためのモータや機構部が不要であることから、特に小型のプリンタ装置に向いている。
【０００６】
ここで、記録紙を手で引っ張ることにより、記録紙を固定刃により切断するプリンタ装置の一例について、図１に基づき説明する。図１に示されるプリンタ装置は、固定刃のみ取り付けられた従来のプリンタ装置を示すものである。具体的には、このプリンタ装置は、ロール状に巻かれた記録紙９１０を有しており、サーマルヘッド９２０及び固定刃９３０は、プリンタ装置の本体部９１１に取り付けられており、プラテンローラ９２１は、ロール状に巻かれた記録紙９１０を設置するため開閉するカバー９１２に取り付けられている。ロール状に巻かれた記録紙９１０は、サーマルヘッド９２０とプラテンローラ９２１との間を通る際に、サーマルヘッド９２０により印字等がなされ、印字等がなされた記録紙９１０を排出する方向に、プラテンローラ９２１が回転することにより排出される。このように印字のなされた記録紙９１０は、図１（ａ）に示されるように、排出された印字等のなされた記録紙９１０を矢印Ａに示す方向に引っ張ることにより、固定刃９３０により切断することができる。
【０００７】
しかしながら、プリンタ装置を使用している場合においては、本来であるならば、矢印Ａに示す方向に印字のなされた記録紙９１０を引っ張るべきものを誤って、図１（ｂ）に示すように、矢印Ｂに示す方向に引っ張ってしまう場合がある。このような場合、図１（ｃ）に示されるように、印字等のなされた記録紙９１０を引っ張る力が、プラテンローラ９２１に加わり、カバー９１２が開いてしまう場合がある。このようにカバー９１２が開いてしまうと、中に設置されている記録紙９１０が外に飛び出してしまう。
【０００８】
本発明は、上記に鑑みてなされたものであり、固定刃のみ取り付けられたプリンタ装置において、固定刃の取り付けられている方向とは逆方向に記録紙を引っ張った場合等においても、容易にカバーが開くことなく、記録紙が飛び出さない構造のプリンタ装置を提供することを目的とするものである。
【課題を解決するための手段】
【０００９】
本発明は、記録紙に印字をする印字部と、前記印字部において印字がなされた前記記録紙を搬送するプラテンローラと、前記印字がなされた記録紙を切断するカッターと、前記印字部及び前記カッターが設置される本体部と、前記プラテンローラが設置されており、前記本体部に開閉可能な状態で取り付けられているカバーと、を有し、前記カバーには、ロック部材と、スライド可能なロックレバーが設けられており、前記ロック部材は、断面形状がＬ字状に形成されており、前記ロック部材の一方の端部近傍には、前記ロックレバーと接触するロック部材接触部を有し、前記ロック部材の他方の端部近傍には、ロックピンが設けられており、前記本体部には、前記ロックピンを固定するロックピン固定部が設けられており、前記カバーが開けられているか閉じられているかに関わらず、前記ロック部材の一方の端部近傍に、前記ロックレバーが接触し続け、前記カバーが開けられる状態では、前記ロックレバーがスライドして前記ロック部材が前記本体部の外部に突き出し、前記カバーが閉じている状態では、前記ロックピンが、前記プラテンローラの設けられている側に近づいて、前記本体部に設けられたロックピン固定部に入り込んでいることを特徴とする。
【発明の効果】
【００１０】
本発明によれば、固定刃のみ取り付けられたプリンタ装置において、固定刃の取り付けられている方向とは逆方向に記録紙を引っ張った場合等においても、容易にカバーが開くことなく、記録紙が飛び出さない構造のプリンタ装置を提供することができる。
【図面の簡単な説明】
【００１１】
【図１】従来のプリンタ装置の説明図
【図２】本実施の形態におけるプリンタ装置のカバーが閉じた状態の構造図
【図３】本実施の形態におけるプリンタ装置のカバーが開いた状態の構造図
【図４】本実施の形態におけるプリンタ装置の内部の斜視図（１）
【図５】本実施の形態におけるプリンタ装置の内部の斜視図（２）
【図６】本実施の形態におけるプリンタ装置の内部の側面図（１）
【図７】本実施の形態におけるプリンタ装置の内部の側面図（２）
【図８】本実施の形態におけるプリンタ装置の内部の構造図（１）
【図９】本実施の形態におけるプリンタ装置の内部の構造図（２）
【図１０】図８の要部拡大図
【図１１】図９の要部拡大図
【図１２】ロックレバー及びロック部材が取り付けられている状態を示す斜視図（１）
【図１３】ロックレバー及びロック部材が取り付けられている状態を示す斜視図（２）
【図１４】ロックレバー及びロック部材が取り付けられている状態を示す斜視図（３）
【図１５】ロックレバー及びロック部材の説明図
【図１６】ロックピン固定部の位置を示す説明図
【図１７】ロックピン固定部を示す斜視図（１）
【図１８】ロックピン固定部を示す斜視図（２）
【図１９】記録紙ガイド部の説明図
【発明を実施するための形態】
【００１２】
本発明を実施するための形態について、以下に説明する。尚、同じ部材等については、同一の符号を付して説明を省略する。
【００１３】
（プリンタ装置の構造）
最初に、図２〜図１１に基づき、本実施の形態におけるプリンタ装置の構造について説明する。
【００１４】
図２及び図３に示すように、本実施の形態におけるプリンタ装置は、本体部１１と、本体部１１に開閉可能な状態で取り付けられているカバー１２とを有しており、図２に示されるように、カバー１２を閉じた状態で、記録紙１０への印字を行なうことができ、図３に示すように、カバー１２を開いた状態で、ロール状に巻かれた記録紙１０を設置することができるものである。
【００１５】
本実施の形態におけるプリンタ装置は、ロール状に巻かれた記録紙１０に文字等を印字する印字部となるサーマルヘッド２０と、サーマルヘッド２０において印字された記録紙１０を所定の長さで切断する固定刃であるカッター３０とを有している。記録紙１０は感熱紙等であり、サーマルヘッド２０とプラテンローラ２１との間に挟み込まれた状態で、サーマルヘッド２０により印字がなされる。尚、図４及び図５は、本実施の形態におけるプリンタ装置の内部の斜視図であり、図４はカバー１２がロック状態のもの、図５はカバー１２のロック状態が解除されているものを示す。図６及び図７は、本実施の形態におけるプリンタ装置の内部の側面図であり、図６はカバー１２がロック状態のもの、図７はカバー１２のロック状態が解除されているものを示す。図８及び図９は、本実施の形態におけるプリンタ装置の内部の断面図であり、図８はカバー１２がロック状態のもの、図９はカバー１２のロック状態が解除されているものを示す。図１０は、図８の要部拡大図であり、図１１は、図９の要部拡大図である。また、図６及び図７においては、カッター３０が設置される位置を破線で示している。
【００１６】
図４〜図１１に示されるように、本実施の形態におけるプリンタ装置において、カバー１２には、プラテンローラ２１、ロックレバー５０及びロック部材５１等が設けられている。プラテンローラ２１は、カバー１２に設けられたプラテンローラ保持部材１３により保持されており、ロックレバー５０は、ロックレバー５０の操作部５０ａが、カバー１２の外側に、出っ張るように設置されている。
【００１７】
図８〜図１５に示されるように、ロック部材５１は、断面形状がＬ字状となるように形成されており、プラテンローラ２１に沿って長く形成され、設置されている。ロック部材５１は、Ｌ字に曲げられている部分がロック部材回転軸５１ａとなっており、ロック部材回転軸５１ａを中心に回転することができるように、カバー１２に取り付けられている。尚、断面形状がL字状に形成されたロック部材５１において、一方の端部近傍にはロックレバー５０と接触するロック部材接触部５１ｂが設けられており、他方の端部近傍にはロックピン５１ｃが設けられている。尚、図１２は、ロック部材５１が取り付けられている状態を内側から見た斜視図であり、図１３は、下側から見た斜視図であり、図１４は、外側から見た斜視図であり、図１５は、断面を含む斜視図である。
【００１８】
このようにカバー１２に取り付けられたロック部材５１は、ロックレバー５０の操作部５０ａを下に押す操作をすることにより、ロック部材回転軸５１ａを中心に回転し、ロックピン５１ｃの位置が動く。
【００１９】
また、図４及び図５に示されるように、本実施の形態におけるプリンタ装置において、本体部１１には、サーマルヘッド２０、カッター３０及びプラテンローラ２１を回転させるためのモータ４０等が設置されている。更に、本体部１１には、図１６〜図１８に示されるように、ロール状の記録紙１０を入れる際の入口近傍において、ロックピン固定部６１ａ及び６１ｂが設けられている。このロックピン固定部６１ａ及び６１ｂは、本体部１１の内側に設けられており、ロックピン固定部６１ａ及び６１ｂにロック部材５１におけるロックピン５１ｃが入り込むことにより固定される。尚、図１６は、ロックピン固定部６１ａの位置を示す説明図であり、図１７は、一方の側に設けられたロックピン固定部６１ａを示す斜視図であり、図１８は、他方の側に設けられたロックピン固定部６１ａを示す斜視図である。
【００２０】
（カバーのロック）
本実施の形態におけるプリンタ装置において、サーマルヘッド２０により記録紙１０に印字等がなされる場合には、図２、図４及び図６に示されるように、カバー１２が閉じた状態となっており、図８及び図１０に示されるように、ロックピン５１ｃが、前記プラテンローラの設けられている側に近づいて、本体部１１に設けられたロックピン固定部６１ａ及び６１ｂに入り込んでいる。このように、ロックピン５１ｃがロックピン固定部６１ａ及び６１ｂに入り込むことにより、カバー１２が固定され閉じた状態が維持される。これにより、記録紙１０を切断する際に、サーマルヘッド２０により印字がなされ排出された記録紙１０がカッター３０の設けられている方向とは逆方向に、手で引っ張った場合や、プリンタ装置を誤って落下させた場合であっても、カバー１２が誤って開くことはない。
【００２１】
（カバーのロックの解除）
次に、本実施の形態におけるプリンタ装置に記録紙１０を設置する場合について説明する。本実施の形態におけるプリンタ装置に記録紙１０を設置する場合には、図３、図５及び図７に示されるように、本体部１１よりカバー１２を開き、本体部１１の内部にロール状に巻かれた記録紙１０を設置する。このように、カバー１２を開く際には、カバー１２に取り付けられているロックレバー５０に下向きの力を加えることにより、ロックレバー５０が下向きに移動する。このように、ロックレバー５０を下向きに移動することにより、ロックレバー５０に設けられた凸部５０ａにおいて、ロック部材５１におけるロック部材接触部５１ｂが押される。これにより、図９及び図１１に示されるように、ロック部材５１は、ロック部材回転軸５１ａを中心に回転し、ロックピン５１ｃが、プラテンローラ２１の設けられている側から離れる方向に動き、ロックピン固定部６１ａ及び６１ｂから抜けだし、カバー１２の固定が外れて開閉可能な状態となる。このような開閉可能な状態となることにより、カバー１２を開くことができるため、ロール状に巻かれた記録紙１０を本体部１１の内部に設置することができる。
【００２２】
尚、カバー１２には、ねじりバネ（トーションバネ）５３が設けられており、ロックレバー５０を下に押した際に、ロック部材５１がロック部材回転軸５１ａを中心に回転する方向とは逆方向に復元力が働くように設置されている。これにより、ロックレバー５０を下に押している力がなくなると、ねじりバネ５３の復元力により、ロック部材５１がロック部材回転軸５１ａを中心に先程とは逆向きに回転し、ロックレバー５０を元の位置に戻すことができる。
【００２３】
（記録紙検出センサ）
また、図１９に示されるように、本実施の形態におけるプリンタ装置においては、プラテンローラ２１の近傍に設置されている記録紙検出センサ７１と記録紙１０とが所定の位置関係となるように、記録紙ガイド部７２が設けられている。本実施の形態では、記録紙検出センサ７１は、光を出射し、出射された光が記録紙１０の表面で反射され、この反射された光を検出するものであり、反射型の光学式センサである。このような反射型の光学式センサの場合では、センサと検出対象物である記録紙１０との位置関係、即ち、距離等が所定の範囲内にないと、誤検出される場合がある。このため、記録紙検出センサ７１と記録紙１０との距離等が所定の範囲の値となるように、記録紙ガイド部７２が設けられている。
【００２４】
以上、本発明の実施に係る形態について説明したが、上記内容は、発明の内容を限定するものではない。
【符号の説明】
【００２５】
１０        記録紙
１１        本体部
１２        カバー
２０        サーマルヘッド
２１        プラテンローラ
３０        カッター
４０        モータ
５０        ロックレバー
５０ａ      操作部
５１        ロック部材
５１ａ      ロック部材回転軸
５１ｂ      ロック部材接触部
５１ｃ      ロックピン
５３        ねじりバネ
６１ａ      ロックピン固定部
６１ｂ      ロックピン固定部
７１        記録紙検出センサ
７２        記録紙ガイド部
【図１】
0005986787.tif 000002
【図２】
0005986787.tif 000003
【図３】
0005986787.tif 000004
【図６】
0005986787.tif 000005
【図７】
0005986787.tif 000006
【図８】
0005986787.tif 000007
【図９】
0005986787.tif 000008
【図１０】
0005986787.tif 000009
【図１１】
0005986787.tif 000010
【図１２】
0005986787.tif 000011
【図１３】
0005986787.tif 000012
【図１４】
0005986787.tif 000013
【図１５】
0005986787.tif 000014
【図１６】
0005986787.tif 000015
【図１７】
0005986787.tif 000016
【図１８】
0005986787.tif 000017
【図１９】
0005986787.tif 000018
【図４】
0005986787.tif 000019
【図５】
0005986787.tif 000020